(57)【特許請求の範囲】
【請求項１】
台車を地盤上に走行させながら改良材を地盤の表層部に散布して地盤の土壌と前記改良材を均一に撹拌混合する軟弱地盤改良装置において、建設機械の作業装置の先端に一対のピンで取り付けられる取付プレートと、
この取付プレートに装着させたモーターと、
前記取付プレートから延出されたガイドフレームと、
前記取付プレートに枢着され前記モーターで駆動されるスプロケットホイールと、ガイドフレームの先端に枢着されたスプロケットホイールと、
前記ガイドフレームの基端付近に配設されたチェーンテンション器と、
前記一対のスプロケットホイールに掛け渡された少なくとも１本のブレード付チェーンとを具備し、
前記取付プレートは地盤に臨む下端部が開放される一方、上端部が閉じたコ字形に形成され、この取付プレートの上端部が前記一対のピンによって作業装置に取り付けられ、前記モーターはコ字形の取付プレートの内部に配置されており、前記チェーンテンション器は前記一対のスプロケットホイールを結ぶ方向に沿ったガイドフレームの一の側面からブレード付チェーンに向かって突出するようにガイドフレームに設けられてブレード付チェーンに張力を付与することを特徴とする軟弱地盤改良装置。
【請求項２】
取付プレートからガイドフレームに沿って少なくとも１本の改良材散布用のパイプが添設され、かつ、建設機械の台車上には改良材タンクが載置され、前記パイプ上端とは可撓性のホースで連結されていることを特徴とする請求項１記載の軟弱地盤改良装置。
【発明の詳細な説明】
【０００１】
【発明の属する技術分野】
本発明は、埋立地や泥湿地などの軟弱地盤の安定化処理を行うための軟弱地盤改良方法及びその装置に関するものである。
【０００２】
【従来の技術】
従来の軟弱地盤改良装置には、特願平７−１４６７６６号にあるように、図４に示すような油圧ショベル（バックホーやショベルローダ等でも良い）の作業装置の長いアーム１の先端に撹拌翼が枢着された装置が開発され、アーム１を前後に動かしつつ、セメント、生石灰等の固化材である改良材と土壌３とを所定深さまで混合して、地盤を固化させることが行われていた。
【０００３】
また、軟弱地盤改良装置は、特開平５−２９５７２３号に開示されているように、クローラタイプの走行台車フレームに進行方向に直交する方向にスライドフレームが往復動自在に装架され、該スライドフレームにリーダーが立設され、該リーダーに昇降装置を介して撹拌装置が昇降自在に設けられ、該撹拌装置には走行台車に沿って粉体改良材の散布装置が設けられると共に、各々撹拌翼を有する撹拌軸が上下複段に横設されて駆動装置に連係されている構成のものがあった。
【０００４】
【発明が解決しようとする課題】
しかるに、前記従来の技術では、改良しようとする軟弱地盤へ撹拌翼を、外周に立設した回転軸を水平の状態で所定の深さまで押し込み、改良材と土壌とを撹拌混練するものであった。
【０００５】
回転軸の取り付けは略水平で改良は円柱状に行われ、これを垂直に所定の深さまで押し込んで上下動させつつ、さらに前後方向と横方向へ移動させる必要があり、垂直方向と前後及び横方向の動作の連続により撹拌能率が悪かった。
【０００６】
本発明は、前述した事情に鑑みてなされたものであり、一旦垂直方向へ押し込むと、前後方向と横方向へ動かすだけで地盤改良ができ、かつ装置の下端付近で改良材を噴出させることにより、改良しようとする地盤の所定深度まで土壌と改良材とが均一に混合される軟弱地盤改良方法及びその装置を提供せんとするものである。
【０００７】
【課題を解決するための手段】
本発明の方法は、台車を地盤上に走行させながら改良材を地盤の表層部に散布して地盤の土壌と前記改良材を均一に撹拌混合する軟弱地盤改良方法において、上下スプロケットホイールに掛け渡されたブレード付チェーンの帯をエンドレスに走行させながら軟弱地盤の所定深さまで押込むと共に、前後方向と横方向に移動させることを特徴とし、所定深さまで挿入されたブレード付チェーンの帯はその場所付近の土壌を所定深さまで、散布された改良材と混練し、前記ブレード付チェーンを前後方向と横方向に移動させると所定深さまでの軟弱地盤が所定の区域改良される。
【０００８】
さらに、前記方法において改良材の散布は、地盤の所定の深さで改良材を噴出させることにより、所定の深度まで均一に改良することができる。
【０００９】
上記目的を達成するため、本発明の装置は、台車を地盤上に走行させながら改良材を地盤の表層部に散布して地盤の土壌と前記改良材を均一に撹拌混合する軟弱地盤改良装置において、建設機械の作業装置の先端に一対のピンで取り付けられる取付プレートと、この取付プレートに装着させたモーターと、前記取付プレートから延出されたガイドフレームと、前記取付プレートに枢着され前記モーターで駆動されるスプロケットホイールと、ガイドフレームの先端に枢着されたスプロケットホイールと、前記ガイドフレームの基端付近に配設されたチェーンテンション器と、前記一対のスプロケットホイールに掛け渡された少なくとも１本のブレード付チェーンとを具備し、前記取付プレートは地盤に臨む下端部が開放される一方、上端部が閉じたコ字形に形成され、この取付プレートの上端部が前記一対のピンによって作業装置に取り付けられ、前記モーターはコ字形の取付プレートの内部に配置されており、前記チェーンテンション器は前記一対のスプロケットホイールを結ぶ方向に沿ったガイドフレームの一の側面からブレード付チェーンに向かって突出するようにガイドフレームに設けられてブレード付チェーンに張力を付与することを特徴とし、取付プレートに装着されたモーターによりスプロケットホイールが回動し、これとガイドフレームの先端に枢着されたスプロケットホイールとの間にエンドレスに掛け渡された少なくとも１本のブレード付チェーンの帯が走行し、ブレードとチェーンとが土壌と改良材とを混練する。建設機械の作業装置であるアームを前後に動かすことにより、地盤の前後方向が、建設機械を横方向に移動させることにより横方向が混練される。
【００１０】
さらに、本発明の装置は、取付プレートからガイドフレームに沿って少なくとも１本の改良材散布用のパイプが添設され、かつ、建設機械の台車上には改良材タンクが載置され、前記パイプ上端とは可撓性のホースで連結されていることを特徴とし、改良材のセメントや生石灰等の粉体、セメントミルク等は台車上のタンクより装置の取付プレートからガイドフレームに添設されたパイプを経て装置の下端（先端）から噴出されるので、所定の深さまでの土壌が均一に改良材と混練される。
【００１１】
【発明の実施の形態】
以下添付図に基づいて本発明の実施の形態を説明する。
図１は本発明の装置の一実施例の形態を示す図で、（ａ）は平面を、（ｂ）は側面をそれぞれ示す。
図２は本発明の装置のチェーンテンション器を示し、図１のＡの部分の他の例を示す。
図３は本発明の装置による軟弱地盤の改良方法の説明図である。
図１において１０は取付プレートで、２本のピンで油圧ショベルの作業装置であるアーム１の先端に枢着されている。この図の場合上下が逆に図示されている。そして取付プレート１０には減速されたモーター１１が装着されており、この図ではモーター１１の軸が固定され外周にスプロケットホイール１２，１２が取り付けられたロータが回転するようになっている。但し、図２は２点鎖線で示すようにモーター軸１１ａをスプロケットホイール１２，１２の軸としモーター１１ｂにより減速機１３を経て、スプロケットホイール１２，１２の軸を回転させても良い。
【００１２】
そして、取付プレート１０には両側にガイドフレーム２０，２０が延設され、その先端にはスプロケットホイール２１，２１（歯のないローラーであっても良い）が枢着されている。
また、ガイドフレーム２０，２０の基端付近にはチェーンテンション器２２が配設されており、図１ではねじ２２ａでローラー２２ｃにテンションを与える構造であるが、図２に示すように重ね板ばね２２ｂを介してローラー２２ｃにテンションを付与しても良い。
しかして、上下一対のスプロケットホイール１２，２１には２本のブレード付チェーン３０，３０がエンドレスにかけ渡され、前記テンション器で張られている。
【００１３】
ブレード付チェーン３０，３０は図では２本となっているが１本以上であれば良い。ブレード付チェーン３０，３０にはチェーンと直角に板状のブレード３１が等間隔で取り付けられ、撹拌効率良いようになっている。
そして、取付プレート１０の上端付近には改良材の散布装置が配設され（図示せず）、これから地盤上に改良材が散布される構造となっているが、この発明の場合他の構成として、図３のように取付プレート１０からガイドフレーム２０，２０に沿って少なくとも１本の改良材散布用パイプ２３が添設され、かつ、建設機械４の台車４ａ上の改良材タンク４ｂから前記パイプ２３上端と可撓性のホース４ｃで連結された構成としても良く（図３）、この場合、改良材タンク４ｂ中に入れられたセメントまたは生石灰粉やセメントミルク等の改良材がパイプ２３の下端付近から噴出するものである。
【００１４】
本発明の装置を用いて軟弱地盤改良の方法を説明する。
図３に示すように油圧ショベル（クローラータイプのバックホーやショベルローダー等でも良い）の作業装置のアーム１先端に２本のピン４ｄ，４ｄで本発明の装置を取り付け、モーター１１を起動して上下のスプロケットホイール１２，２１に掛け渡されたブレード付チェーン３０の帯をエンドレスに走行させながら矢印ａで示すように軟弱地盤の所定深さまで押込み、次に作業装置４ｅを操作して矢印ｂ，ｃで示す前後方向に移動させる。装置を矢印ｂ，ｃと直角の横方向へ移動させるには、台車４ａを図に示す位置にし、また、クローラー４ｆを直角に方向転換して横方向へ移動すれば装置は横方向へ移動する。
【００１５】
ブレード付チェーン３０の帯を軟弱地盤に押込み次第、改良材散布用のパイプ２３の下端付近から改良材を噴出させ土壌と改良材を均一に混練しつつ装置を前後と横方向へ移動させる。
【００１６】
【発明の効果】
以上詳細に説明した本発明によれば下記のような効果を奏するものである。
(1) ブレードを有するチェーンの帯を土壌中の所定の深さまで押込んで撹拌するので、撹拌軸を上下させる必要がなく従来に比べ作業能率が向上する。
【００１７】
(2) 装置の先端付近から改良材を噴出させる場合は、均等に土壌が改良材と混練できる。
【図面の簡単な説明】
【図１】本発明の装置の一実施の形態を示す図で、（ａ）は平面を、（ｂ）は側面をそれぞれ示す。
【図２】図１のＡ部分に取付けられた本発明の装置のチェーンテンション器の別の例を示す図である。
【図３】本発明の装置による軟弱地盤の改良方法の説明図である。
【図４】従来の軟弱地盤改良装置の説明図である。
【符号の説明】
１    アーム
３    土壌
４    建設機械
４ａ    台車
４ｂ    改良材タンク
４ｃ    ホース
４ｄ    ピン
４ｅ    作業装置
１０    取付プレート
１１，１１ｂ    モーター
１２，２１    スプロケットホイール
２０    ガイドフレーム
２１    チェーンテンション器
２３    パイプ
３０    ブレード付チェーン
３１    ブレード
【図１】
0003692568.tif 000002
【図２】
0003692568.tif 000003
【図３】
0003692568.tif 000004
【図４】
0003692568.tif 000005